(57)【要約】【課題】  この考案は、個性や特徴に合わせた外観を具えた印鑑を提供することを課題とする。【解決手段】本体と、蓋体とを含んでなり、本体が、矩形で中空で、設置空間を供えたケース体に形成され、一面に印面を設けてなり、蓋体が、矩形で凹状に形成され、凹状の面で印面を被覆して蓋をするように設け、凸面には対称の斜面が形成される。【選択図】  図１
0003154936.tif 000002
【実用新案登録請求の範囲】
【請求項１】
本体と、蓋体とを含んでなり、
該本体が、矩形で中空で、設置空間を供えたケース体に形成され、一面に印面を設けてなり、
該蓋体が、矩形で凹状に形成され、凹状の面で印面を被覆して蓋をするように設け、凸面には対称の斜面が形成されることを特徴とする印鑑。
【請求項２】
前記本体と印面との間には、底座が設けられ、該底座の中央には長方形の開口が設けられ、且つ本体の内部に設けられた設置空間に対応し、該底座の底面には対向する平行な接続板が設けられ、印面を嵌合して固定することを特徴とする請求項１に記載の印鑑。
【請求項３】
前記底座に設けられた開口が、両側に長方形の凸ブロックを設けてなり、本体の対向する面に長方形の凹溝が設けられ、該長方形の凸ブロックと長方形の凹溝の表面には対応するように貫通孔が設けられ、柱体が挿入して設けられることを特徴とする請求項２に記載の印鑑。
【請求項４】
前記底座の底面の接続板が、側面に一以上の凹溝を設けてなり、蓋体の内側の対応する位置に該凹溝の数に合わせて凸部が設けられることを特徴とする請求項２に記載の印鑑。
【請求項５】
前記底座の底面が、印面との間に底板を設けてなり、該底板の長手方向に垂直な両面に斜面が形成されることを特徴とする請求項２に記載の印鑑。
【請求項６】
前記底板が、長手方向両側面に一以上の凸部を設けて、底座の接続板の凹溝に対応して合わせるように接続して設けられることを特徴とする請求項５に記載の印鑑。
【請求項７】
前記本体が、設置空間に図案や写真などを挿入して設けることができることを特徴とする請求項１、２、或いは５に記載の印鑑。
【請求項８】
前記本体が、設置空間内に貫通孔を介して砂、造形物、カラーインクなどを設けることができることを特徴とする請求項１、２或いは５に記載の印鑑。
【考案の詳細な説明】
【技術分野】
【０００１】
この考案は、印鑑に関し、特に印面に名前や会社名などを刻印して紙などに刻印した内容を記載することができる印鑑に関する。
【背景技術】
【０００２】
従来の印鑑は、主に一体に成形され、且つ簡単な幾何学的な形態に形成されるか、甚だしくは板状に形成される。
【０００３】
その材質は多くが木製、動物の骨、或いは石などで、視覚的な美観を求めて通常、縞や形状を合わせた適宜な外観に設計される。例えば、図案を彫刻する、外側に彫刻するなどは印鑑の価値を明らかに高める。
【０００４】
そのデザインはほとんどが固定された様式の従来のデザインで、一部の作品は様々な年齢層に合わせることが難しい。
【０００５】
よって、芸術的な印鑑は特定の人によってしか好まれないため、一般消費者の需要に合わせることが難しい。
【０００６】
また、単一の様式は、多様で、好みの時に交換することができる特性を具えているわけではなく、装飾品とすることもできない。
【０００７】
印鑑は個人の符号を表すものであって、印鑑を使用することは、ある物事をある人が承諾したことを代表する。
【０００８】
今日のように個人としての個性に注目する時代では、個人が常用する製品に対して、通常。プライベート感のある色彩や、図案が加えられるとともに、いつでも新しい形態に変えることができる。
【考案の概要】
【考案が解決しようとする課題】
【０００９】
この考案は、個性や特徴に合わせた外観を具えた印鑑を提供することを課題とする。
【課題を解決するための手段】
【００１０】
そこで、本考案者は従来の技術に見られる欠点に鑑みて鋭意研究を重ねた結果、本体と、蓋体とを含んでなり、
該本体が、矩形で中空で、設置空間を供えたケース体に形成され、一面に印面を設けてなり、
該蓋体が、矩形で凹状に形成され、凹状の面で印面を被覆して蓋するように設け、凸面には対称の斜面が形成される本体と、蓋体とを含んでなり、
該本体が、矩形で中空で、設置空間を供えたケース体に形成され、一面に印面を設けてなり、
該蓋体が、矩形で凹状に形成され、凹状の面で印面を被覆して蓋するように設け、凸面には対称の斜面が形成される印鑑によって課題を解決できる点に着眼し、かかる知見に基づいて本考案を完成させた。
【００１１】
以下、この考案について具体的に説明する。
請求項１に記載の印鑑は、本体と、蓋体とを含んでなり、
該本体が、矩形で中空で、設置空間を供えたケース体に形成され、一面に印面を設けてなり、
該蓋体が、矩形で凹状に形成され、凹状の面で印面を被覆して蓋するように設け、凸面には対称の斜面が形成される。
【００１２】
請求項２に記載の印鑑は、請求項１における本体と印面との間には、底座が設けられ、該底座の中央には長方形の開口が設けられ、且つ本体の内部に設けられた設置空間に対応し、該底座の底面には対向する平行な接続板が設けられ、印面を嵌合して固定する。
【００１３】
請求項３に記載の印鑑は、請求項２における底座に設けられた開口が、両側に長方形の凸ブロックを設けてなり、本体の対向する面に長方形の凹溝が設けられ、該長方形の凸ブロックと長方形の凹溝の表面には対応するように貫通孔が設けられ、柱体が挿入して設けられる。
【００１４】
請求項４に記載の印鑑は、請求項２における底座の底面の接続板が、側面に一以上の凹溝を設けてなり、蓋体の内側の対応する位置に該凹溝の数に合わせて凸部が設けられる。
【００１５】
請求項５に記載の印鑑は、請求項２における底座の底面が、印面との間に底板を設けてなり、該底板の長手方向に垂直な両面に斜面が形成される。
【００１６】
請求項６に記載の印鑑は、請求項５における底板が、長手方向両側面に一以上の凸部を設けて、底座の接続板の凹溝に対応して合わせるように接続して設けられる。  
【００１７】
請求項７に記載の印鑑は、請求項１、２、或いは５における本体が、設置空間に図案や写真などを挿入して設けることができる。
【００１８】
請求項８に記載の印鑑は、請求項１、２或いは５における本体が、設置空間内に貫通孔を介して砂、造形物、カラーインクなどを設けることができる。
【考案の効果】
【００１９】
この考案による印鑑は、美観を高めるとともに、プライベート感を具えて個人差を高めることができるという効果を有する。
【図面の簡単な説明】
【００２０】
【図１】この考案のスタンプを示した分解図である。
【図２】この考案のスタンプを使用していない場合に置いたときの角度を示した説明図である。
【図３】この考案のスタンプを組み合わせる状態を示した説明図である。
【図４】この考案のスタンプを示した分解図である。
【図５】この考案のスタンプを組み合わせた状態を示した説明図である。
【考案を実施するための形態】
【００２１】
この考案は、個性や特徴に合わせた外観を具えた印鑑であって、本体と、蓋体とを含んでなり、該本体が、矩形で中空で、設置空間を供えたケース体に形成され、一面に印面を設けてなり、該蓋体が、矩形で凹状に形成され、凹状の面で印面を被覆して蓋をするように設け、凸面には対称の斜面が形成される印鑑の構造と特徴を詳述するために具体的な実施例を挙げ、図示を参照にして以下に説明する。
【実施例】
【００２２】
図１は、この考案の印鑑を示した分解図である。
【００２３】
図面によれば、この考案の印鑑は、本体１と、底座２と、底板３と、印面４と、蓋体５とを含んでなる。
【００２４】
該本体１は、矩形中空なケース状に形成され、該ケースは透明に形成される。
【００２５】
本体１の内側には設置空間１０が設けられ、長方形の開口を具えてなる。
【００２６】
該設置空間１０は、本体１を隔てて二つの空間１１を形成し、それぞれ長方形の凹溝１１１を設けてなる。
【００２７】
該長方形の凹溝１１１は上方に貫通孔１１２を具えてなる。
【００２８】
該底座２は、長方形を呈し、底面には下向きに延伸しそれぞれ対向して平行な接続板が設けられる。
【００２９】
該接続板は、一以上の凹溝２１を具えてなる。
【００３０】
該底座２の中央には本体１の設置空間１０の長方形の開口に対応して長方形の開口２２が設けられ、且つ開口２２の両側には長方形の凸ブロック２３が本体の凹溝１１１に対応して設けられる。
【００３１】
該長方形の凸ブロック２３は本体１の貫通孔１１２に対応する位置にそれぞれ貫通孔２４が設けられる。
【００３２】
底座２の長方形の凸ブロック２３はそれぞれ本体１の凹溝１１１内に嵌合して設けられるとともに、柱体２５がそれぞれ貫通孔２４に挿入して設けられるため、貫通孔１１２がさらに緊密に接続される。
【００３３】
底板３は、底座２に対応して長方形の階段状に形成される。
【００３４】
該底板３は、長手方向の両側面に一以上の凸部３０を設けてなる。該底板３は、底座２の平行な接続板に接続され、且つ該凸部３０が凹溝２１に嵌合される。
【００３５】
該底板３は長手方向に垂直な両側面に斜面３１が形成される。よって、底板３を手、或いは挟持部材で底座２から外すために便利である。
【００３６】
該底板３は、一面に凹溝３２（角度の関係で図示しない）が設けられているため、印肉４に接続することができる。
【００３７】
該印面４は、表面に様々な花模様が形成され、底板３の一面に形成された凹溝３２に嵌合し、内部で色を吸着することができるため、連続して印を押すことができ、印面４が連続して印を押す目的を達成することができ、長期的に使用することができる。
【００３８】
蓋体５は、矩形で凹状に形成される。
【００３９】
蓋体５は、凹面で印面４に蓋をするように設けられる。
【００４０】
該凹面は内側面の接続板の凹溝２１に対応する位置に凹溝２１と同じ数の凸部５０が設けられる。
【００４１】
該蓋体５の凹面には対称な斜面５１が形成され、印鑑を適宜に傾斜した角度で設けるために供し、印鑑を好ましい鑑賞角度で設けて美観を具えた装飾品として置いておくことができる。斜面５１に形成された角度は図２に開示する。
【００４２】
印鑑を使用しない場合、蓋体５を底座２を被覆するように設けて印面４内のインクが外側に染み出ることや、乾くことを防ぐことができる。
【００４３】
また、図３に開示するように、印面４の花模様を保護するために供する。
【００４４】
図４は、この考案の分解図を示したものである。
【００４５】
図面によれば、この考案の印鑑は美観が高級さを具えて透明なに形成される。
【００４６】
よって、内側に図案６、写真などを自由に設けることができる。
【００４７】
また、本体１は、図５に開示するように、長方形の凹溝１１１の貫通孔１１２を介して砂や造形物、カラーインクなどを設けてもよい。
【００４８】
この考案の印鑑は、従来の印鑑の一般的な印象を変えることを目的とし、印鑑に設けられた設置空間１０の内部に写真、或いは異なる美観を具えた図案６などプライベートな装飾品を自由に差し込むことができる。
【００４９】
また、印鑑を手にする場合に他の印鑑との違いを明確にすることや、他の印鑑とは異なることで目立つなどの特性を高めることができるとともに、個人の特徴を具えた印鑑を提供することができる。
【００５０】
さらに、印鑑のケース５は、対称な斜面５１を設けているため、印鑑を使用しない場合に印鑑を立たせた状態で設けて目立つ美観を具えた装飾品として設けることができる。
【００５１】
上述の通り、この考案の印鑑は、プライベートな色彩、或いは図案を具え、且ついつでも新しい形態に変更することができ、使用上の多様性を具え、組あ合わせが便利で、美観も具えている。２
【００５２】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【符号の説明】
【００５３】
１        本体
１０      設置空間
１１      空間
１１１    凹溝
１１２    貫通孔
２        底座
２１      凹溝
２２      開口
２３      凸ブロック
２４      貫通孔
２５      柱体
３        底板
３０      凸部
３１      斜面
３２      凹溝
４        印面
５        蓋体
５１      斜面
６        図案
【図１】
0003154936.tif 000003
【図２】
0003154936.tif 000004
【図３】
0003154936.tif 000005
【図４】
0003154936.tif 000006
【図５】
0003154936.tif 000007